(57)【要約】【課題】鉄筋コンクリート建築の屋上の断熱に有効なコケ類の培養容器、培養方法及びコンクリート面の断熱方法を提供する。【解決手段】本発明にかかわるコケ類の培養容器は、トレイの内部に少なくとも１個の筒状に仕切られた区画を設けたものである。またコケ類の培養方法は、上記の培養容器を使用し、筒状に仕切られた区画の内部には土壌を充填して常緑性の多年草を植え込み、その外の部分にコケ類を充填して自然環境に放置する。またコンクリート面の断熱方法は、上記の培養容器を使用し、筒状に仕切られた区画の内部には土壌を充填して常緑性の多年草を植え込み、その外の部分にコケ類を敷き詰めたものを鉄筋コンクリート建築の屋上に敷き並べる。【選択図】図１
2005117914.tif 000002
【特許請求の範囲】
【請求項１】
トレイの内部に筒状に仕切られた区画を少なくとも１個設けたものであることを特徴とするコケ類の培養容器。
【請求項２】
トレイの内部に筒状に仕切られた区画を少なくとも１個設けた培養容器を使用し、その区画の内部には土壌を充填して常緑性の多年草を植え込み、その区画の外部にはコケ類を充填して自然環境に放置することを特徴とするコケ類の培養方法。
【請求項３】
トレイの内部に筒状に仕切られた区画を少なくとも１個設けた培養容器を使用し、その区画の内部には土壌を充填して常緑性の多年草を植え込み、その区画の外部にはコケ類を敷き詰めたものを鉄筋コンクリート建築の屋上に敷き並べることを特徴とするコンクリート面の断熱方法。
【請求項４】
トレイの内部にコケ類を敷き詰めたものを鉄筋コンクリート建築の屋上に敷き並べることを特徴とするコンクリート面の断熱方法。
【発明の詳細な説明】
【技術分野】
【０００１】
この発明は、鉄筋コンクリート建築が林立する都市部のヒートアイランド現象を緩和するために用いられるコケ類の培養容器、培養方法及びコンクリート面の断熱方法に関するものである。
【背景技術】
【０００２】
鉄筋コンクリート建築や舗装道路からの熱反射やクーラーの屋外機からの放熱によるヒートアイランド現象が問題になっている。また空気中の炭酸ガス濃度の増加に基づく温室効果による平均気温の上昇も大きな問題となっている。
【０００３】
この解決方法として、鉄筋コンクリート建築の屋上に土盛りし樹木や草花を植えて屋上庭園とする試みがなされている。しかしこの方法は、屋上にかなりの厚さに土盛りする必要があるのでトップヘビーとなり耐震上の問題を生じ既設の鉄筋コンクリート建築に採用するのは難しい。一方設計時にトップの重量増加を考慮して強度計算をすると建築費の増加を招くので採用されにくい。また毎日のように潅水する必要があるため屋上庭園の維持管理には手間がかかり長続きしにくい。
【発明の開示】
【発明が解決しようとする課題】
【０００４】
本発明は、鉄筋コンクリート建築の屋上の断熱に有効なコケ類の培養容器、培養方法及びコンクリート面の断熱方法を提供することを目的とする。
【課題を解決するための手段】
【０００５】
本発明に係るコケ類の培養容器は、トレイの内部に筒状に仕切られた区画を少なくとも１個設けたものであることを特徴とする。またコケ類の培養方法は、トレイの内部に筒状に仕切られた区画を少なくとも１個設けた培養容器を使用し、その区画の内部には土壌を充填して常緑性の多年草を植え込み、その区画の外部にはコケ類を充填して自然環境に放置することを特徴とする。またコンクリート面の断熱方法は、トレイの内部に筒状に仕切られた区画を少なくとも１個設けた培養容器を使用し、その区画の内部には土壌を充填して常緑性の多年草を植え込み、その区画の外部にはコケ類を敷き詰めたものを鉄筋コンクリート建築の屋上に敷き並べることを特徴とする。
【発明の効果】
【０００６】
本発明の容器を使用するとコケ類の増殖率が向上する。培養したコケ類を容器ごと鉄筋コンクリート建築の屋上に敷き並べることコケに含まれる水分がゆっくりと蒸発するので、その気化熱によりコケの表面温度が気温より低くなり、そのコケ類で覆われているコンクリートの表面温度も低下する。また単位面積当たりのコケ類の葉緑素の存在量は樹木のそれに比べて数百倍になると言われており、光合成による空気中の炭酸ガスの吸収効果も期待できる。
【発明を実施するための最良の形態】
【０００７】
本発明のコケ類の培養容器を添付図面により説明する。図１は本発明のコケ類の培養容器を上から見た図、図２は図１のＸ−Ｘ線における断面図である。トレイの１の内部に少なくとも１個、図１では５個の筒状に仕切られた区画２を設けたものである。トレイの大きささは任意であるが、取り扱いの容易さを考えれば長さ６０ｃｍ前後、巾４０ｃｍ前後、深さ５ｃｍ前後が適当であろう。筒状に仕切られた区画２の大きさは直径１０ｃｍ前後、複数の区画を設ける場合相互の間隔は２０ｃｍ前後が適当であろう。
【０００８】
図３はこの培養容器を使用してコケ類を培養している状態を示す図である。筒状に仕切られた区画２の内部３には土壌５を充填して常緑性の多年草、例えばリュウノヒゲ６を植え込み、その区画の外部にはコケ類７を充填して自然環境に放置する。コケ類は乾燥に強く、外見は乾ききって枯死したように見えても水を与えれば復活するので手がかからない。およそ半年で倍量になるが、普通のトレイを用いた場合に比べて本発明のトレイを用いた場合はさらに５０％程度収量が向上する。これはリューノヒゲのような常緑性の多年草が適当な日陰を提供してコケの発育に適した環境を与えるためかと思われる。
【０００９】
コケとしては、乾燥に強いヒダゴケ、ヒジキゴケ、ハイゴケなどが好ましく用いられる。トレイに直接敷き詰めても良いし、鹿沼土の層を設けた上にコケ類を敷き詰めても良い。
【００１０】
多数のトレイを用いて広い面積のコンクリート面をカバーする場合には複数種類のコケを併用することが望ましい。これは特定の病害によりコケが全滅するのを防ぐためである。具体的には、ある種類のコケを培養しているトレーと異なる種類のコケを培養しているトレーとを交互に市松模様状、又は帯状などに配置すればよい。敷き並べたトレー同士は適当な器具を用いて連結しておけば強風時にも吹き飛ばされる心配がない。これらの作業は土盛りして屋上庭園にする作業に比べて遙かに簡便で且つ軽量なので、既設のコンクリート建築にも容易に施工できる。トレイでコケを培養し増殖する作業は大都市近郊の農村地帯、過疎地域などで行えばよく、それを運搬して敷き並べる作業は１日もかからない。
【実施例１】
【００１１】
図１に示したような培養容器にヒジキゴケを培養したものを８階建て鉄筋コンクリート建築の屋上に設置し、１０日間にわたり毎日午後２時に気温、コンクリート面から５ｍｍ上の温度及びコケ面から５ｍｍ上の温度を測定した結果を表１に示す。なおコケには毎日午前８時に散水した。気温の平均３１℃、コンクリート面の温度の平均３６℃に対してコケ面の温度の平均は２９℃であり、コケ面の温度低下は顕著であった。
【００１２】
【表１】
2005117914.tif 000003
【図面の簡単な説明】
【００１３】
【図１】本発明のコケ類の培養容器を上から見た図である。
【図２】図１のＸ−Ｘ線における断面図である。
【図３】培養容器を使用してるコケ類を培養している状態を示す図である。
【符号の説明】
【００１４】
１  トレイ
２  筒状に仕切られた区画
３  区画の内部
４  区画の外部
５  土壌
６  常緑性の多年草
７  コケ
【図１】
2005117914.tif 000004
【図２】
2005117914.tif 000005
【図３】
2005117914.tif 000006